(57)【特許請求の範囲】
【請求項１】
被記録材に画像を記録する印画ヘッドと、
所定の幅を有する搬送経路と、
前記搬送経路内に設けられた第１の規制部材及び第２の規制部材と、
前記第１の規制部材及び前記第２の規制部材よりも前記搬送方向下流側に配置され、前記搬送経路において搬送される前記被記録材を挟持して搬送する１対のローラと、
前記搬送経路内の、前記１対のローラよりも前記搬送方向下流側において、前記印画ヘッドに対して略平行に配置され、前記１対のローラにより挟持された前記被記録材を検知する２つのセンサと、を備え、
前記第１の規制部材は、第１のサイズの被記録材が前記印画ヘッドにより画像が記録される記録位置に向けて搬送される際に、前記第１のサイズの被記録材の第１の側面部の位置を規制し、
前記第２の規制部材は、前記第１のサイズよりも大きい第２のサイズの被記録材が前記記録位置に向けて搬送される際に、前記第２のサイズの被記録材の前記第１の規制部材が設けられている側とは異なる側の第２の側面部の位置を規制し、
前記２つのセンサのうち、前記第１の規制部材に近い側に配置されたセンサは、
前記第１のサイズの被記録材が、その後端側の第１の側面部の位置を前記第１の規制部材により規制され、かつ、その先端側の第２の側面部の位置を前記搬送経路により規制された斜行状態において、前記１対のローラに挟持された場合でも、該第１のサイズの被記録材の先端部を検知でき、かつ、前記第２のサイズの被記録材が、その先端側の第２の側面部の位置を前記第２の規制部材により規制され、かつ、その後端側の第１の側面部が前記搬送経路により規制された斜行状態において、前記１対のローラに挟持された場合でも、該第２のサイズの被記録材の先端部を検知できるように配置されており、
前記２つのセンサのうち、前記第１の規制部材に遠い側に配置されたセンサは、
前記第１のサイズの被記録材が、その後端側の第２の側面部の位置を前記搬送経路により規制され、かつ、その先端側の第１の側面部の位置を前記第１の規制部材により規制された斜行状態において、前記１対のローラに挟持された場合でも、該第１のサイズの被記録材の先端部を検知できるように配置され、前記第２のサイズの被記録材が、その先端側の第１の側面部の位置を前記搬送経路により規制され、かつ、その後端側の第２の側面部の位置を前記第２の規制部材により規制された斜行状態において、前記１対のローラに挟持された場合でも、該第２のサイズの被記録材の先端部を検知できるように配置されていることを特徴とする画像形成装置。
【請求項２】
前記２つのセンサによる検知結果に基づいて、前記被記録材の斜行量を算出する算出手段と、
前記印画ヘッドにより画像の記録がなされた前記被記録材を、逆方向に搬送する逆搬送手段と、を更に備え、
前記逆搬送手段は、前記斜行量に基づいて算出される搬送量に従って、前記被記録材を搬送することを特徴とする請求項１に記載の画像形成装置。
【請求項３】
前記逆搬送手段は、前記斜行量と被記録材のサイズとに基づいて算出される搬送量に従って、前記被記録材を搬送することを特徴とする請求項２に記載の画像形成装置。
【請求項４】
前記第１の規制部材は、前記搬送経路の一方の側端部側に配置され、前記第２の規制部材は、前記搬送経路の他方の側端部側に配置されており、
前記第１の規制部材が前記被記録材を規制する基準面から当該第１の規制部材が設けられていない側の前記搬送経路の側端部までの距離と、前記第２の規制部材が前記被記録材を規制する基準面から当該第２の規制部材が設けられていない側の前記搬送経路の側端部までの距離とは、異なっていることを特徴とする請求項１に記載の画像形成装置。
【請求項５】
前記２つのセンサは、前記搬送経路の中央からの距離が異なる位置に配置されていることを特徴とする請求項１に記載の画像形成装置。
【発明の詳細な説明】
【技術分野】
【０００１】
本発明は、被記録材に画像を記録する画像形成装置に関するものである。
【背景技術】
【０００２】
プリンタ、複写機、ファクシミリ等の画像形成装置は、記録手段である印画ヘッドを備えており、画像情報に基づき印画用紙等の被記録材に画像（文字や記号等を含む）を記録するよう構成されている。
【０００３】
被記録材としては、紙、布、プラスチックシート、ＯＨＰ用シートなど、種々の材質のシート材が使用される。
【０００４】
画像形成装置における記録方式にはシリアルタイプとラインタイプとがある。シリアルタイプは、被記録材の搬送方向と直交する方向に印画ヘッドを往復移動させる動作（主走査）と被記録材の搬送（副走査）動作とを交互に繰り返しながら画像を記録していく方式である。
【０００５】
一方、ラインタイプは、被記録材の搬送方向と直交する方向に延びる長尺の印画ヘッドを用いることにより、一括して１ライン分を記録しながら被記録材の搬送（副走査）動作のみで画像を記録していく方式である。
【０００６】
更に、画像形成装置は記録方式により、熱転写式、感熱式、インクジェット式、レーザービーム式、ワイヤドット式などに分けることができる。そのうち、熱転写式は、インクシートを挟んで被記録材と印画ヘッドとを圧接し、被記録材の搬送と同期させながらインクシートを走行することで、インクを加熱転写し、画像を記録するラインタイプの記録方式である。
【０００７】
この熱転写式の画像形成装置には、更に昇華型と溶融型とがある。熱転写式の画像形成装置のようにインクを転写することで画像を記録する画像形成装置においては、消耗品として、インクを含浸させたインクシートとインクが転写される被記録材の２種類が用いられる。
【０００８】
以下、図１４の模式図に従って、従来の熱転写式の画像形成装置における記録動作を説明する。
【０００９】
図１４に示すように、印画ヘッド１４０１は複数の発熱素子１４０１ａを有する加熱部により構成されている。そして、画像情報に応じて発熱素子１４０１ａを選択的に発熱させ、インクシート１４０３ａ上に一様に塗布されたインク１４０３ｂを加熱する。
【００１０】
被記録材Ｐの搬送経路を挟んで印画ヘッド１４０１と対向する位置には、プラテン１４０２が配されている。そして印画ヘッド１４０１をプラテン１４０２に押圧し、供給ボビン軸１４０３ｃから巻き解かれて供給されるインクシート１４０３ａと被記録材Ｐとを適当な圧力で圧着させることで、被記録材Ｐへの加熱転写が行われる。
【００１１】
なお、被記録材Ｐへの加熱転写は、対向して配されたキャプスタンローラ１４０４ａ（能動側）とピンチローラ１４０４ｂ（受動側）との回転駆動によって被記録材Ｐを搬送方向Ｘに、記録開始位置から記録終了位置まで搬送することで行われる。この間、被記録材Ｐから引き剥がされたインクシート１４０３ａは巻き取りボビン軸１４０３ｄに巻き回される。
【００１２】
ところで、こうした加熱転写によるカラー画像の記録においては、被記録材Ｐに複数の色を順次重ねることで所望の画像が得られる。そのため、記録終了位置まで搬送された被記録材Ｐを、対向したキャプスタンローラ１４０４ａ及びピンチローラ１４０４ｂの逆方向の回転駆動によって、再び記録開始位置まで戻すことで、前述の記録動作を複数回繰り返す必要がある。
【００１３】
このとき、カラー画像の記録動作中に被記録材Ｐと能動側であるキャプスタンローラ１４０４ａとの位相がずれると、被記録材Ｐに順次重ねられた複数の色がそれぞれずれることとなり、画像品位の低下をまねく。
【００１４】
こうした問題を解決するため、キャプスタンローラ１４０４ａに対してはピンチローラ１４０４ｂを一定以上の圧力で押圧させるのが一般的である。また、場合によってはキャプスタンローラ１４０４ａの表面の一部に、被記録材Ｐの裏面に被記録材がずれないほどの深さまで刺さる突起（グリップ部）を設けることが一般的である。
【００１５】
そのため、キャプスタンローラ１４０４ａとピンチローラ１４０４ｂとが被記録材Ｐを挟持して搬送する力は、ゴムなどから構成される他の搬送ローラによる搬送力よりも強く、ローラの滑りや変形によるずれが発生しにくい。この結果、被記録材の搬送量を精度よく制御することが可能となっている。
【００１６】
しかしながら、かかる構成は、被記録材Ｐが斜行した状態で搬送経路内に搬送された場合に、ユーザ自身では復帰できないような深刻なジャムを発生させる可能性を含んでいる。
【００１７】
例えば、被記録材の一部が搬送経路からはみ出した場合には、搬送経路の外に設けられた構成部品に接触するなどして被記録材の一部を損傷させてしまう可能性がある。更に、このような状態のまま、被記録材Ｐの搬送方向Ｘへの搬送を継続すると、被記録材の一部が激しく損傷し、ユーザ自身が装置内から被記録材Ｐを取り出せないほどの状態となる。加えて、損傷した被記録材の破片や構成部品の変形などによって装置に異常をきたすおそれもある。
【００１８】
このため、このような画像形成装置においては、被記録材Ｐが斜行した場合に、これをいち早く検知することが重要となってくる。
【００１９】
このような背景のもと、被記録材Ｐの搬送方向に直交する線上の同位相位置に、被記録材Ｐの先端部両端を検知するための検知センサを２個配し、左右の検知タイミングのずれから斜行を検知する画像形成装置が提案されている（例えば、特許文献１参照）。
【００２０】
当該文献によれば、２個の検知センサのうち一方が被記録材Ｐの先端部の一端を検知した後、他方の検知センサが被記録材Ｐの先端部の他端を検知するまで被記録材Ｐの搬送を行う。そして、被記録材Ｐの搬送用のステッピングモータに入力したステップ数を記録し、予め設定しておいた既定値と比較することで、斜行の有無を判別する。更に、このとき記録したステップ数を、被記録材サイズの幅に対応して計算することで、被記録材の斜行量を算出する。
【００２１】
また、当該文献の他、被記録材の斜行を検知するための２個の検知センサを、全ての被記録材サイズに対応させるべく、搬送方向に直交する線上に、最小サイズの被記録材の幅に合わせて所定の間隔で配置した画像形成装置が提案されている（特許文献２参照）。
【００２２】
当該文献によれば、被記録材サイズに関わらず、基準位置からのずれ量を、搬送速度や検知時間の差などから計算し、斜行の有無を判別することとしている。このように基準位置からのずれ量を計算することで、同文献では、検知センサの数を増やすことなく、また検知センサを搬送方向に直行する線上に沿って移動させる機構を追加することなく、複数の被記録材サイズに対応することとしている。
【特許文献１】特開２０００−９４８０７号公報
【特許文献２】特開平１１−１９９０９５号公報
【発明の開示】
【発明が解決しようとする課題】
【００２３】
しかしながら、上記各文献の場合、斜行した被記録材の前面部が、必ず２個の検知センサで検知可能な位置を通過することを前提としている。つまり、被記録材の斜行が比較的小さい場合にのみ有効な構成となっている。
【００２４】
しかし、実際の画像形成装置は、搬送経路内での被記録材の斜行を、一定量以下に抑制するための機構を備えない限り、被記録材の搬送経路内での斜行を小さく抑えることは難しい。搬送経路内の状態や搬送精度のばらつき、あるいはユーザによる被記録材への接触等、様々な原因が重なって、被記録材が大きく斜行することがあるからである。この結果、２個の検知センサで被記録材の前面部を検知できないといった事態も生じえる。
【００２５】
図１５を用いて具体的に説明する。図１５（ａ）に示すように、正常搬送時には、被記録材Ｐの前面部を検知可能であっても、図１５（ｂ）に示すように、大きく斜行した場合には、被記録材Ｐの前面部は、２個の検知センサ１５０５ａ、１５０５ｂが検知可能な位置を通過しなくなる。
【００２６】
特に、被記録材の一方の側面部を基準面に沿うように搬送させる構成としている場合には、図１５（ｂ）のように、被記録材Ｐの先端が基準面側から離れる方向に斜行すると、基準面に近い側の検知センサ１５０５ａが被記録材Ｐの前面部を検知できなくなる。この場合、被記録材Ｐの斜行の検知が遅れることとなる。
【００２７】
同様に、被記録材の先端が基準面に回り込むように斜行した場合も、基準面に遠い側の検知センサは、被記録材そのものを検知できないか、もしくは被記録材Ｐの前面部を検知できず、結果的に被記録材Ｐの斜行の検知が遅れることとなる。
【００２８】
このことは、被記録材の中心を基準面に沿うように搬送させる構成としている場合も同様であり、斜行量が大きい場合に対応するためには、従来例に記載の構成では不十分であった。
【００２９】
本発明は上記課題に鑑みてなされたものであり、検知センサの数を増やすことなく、また検知センサを移動させる機構を追加することなく、複数サイズの被記録材の大きな斜行を的確に検知可能な画像形成装置を提供することを目的とする。
【課題を解決するための手段】
【００３０】
上記の目的を達成するために本発明に係る画像形成装置は以下のような構成を備える。即ち、
被記録材に画像を記録する印画ヘッドと、
所定の幅を有する搬送経路と、
前記搬送経路内に設けられた第１の規制部材及び第２の規制部材と、
前記第１の規制部材及び前記第２の規制部材よりも前記搬送方向下流側に配置され、前記搬送経路において搬送される前記被記録材を挟持して搬送する１対のローラと、
前記搬送経路内の、前記１対のローラよりも前記搬送方向下流側において、前記印画ヘッドに対して略平行に配置され、前記１対のローラにより挟持された前記被記録材を検知する２つのセンサと、を備え、
前記第１の規制部材は、第１のサイズの被記録材が前記印画ヘッドにより画像が記録される記録位置に向けて搬送される際に、前記第１のサイズの被記録材の第１の側面部の位置を規制し、
前記第２の規制部材は、前記第１のサイズよりも大きい第２のサイズの被記録材が前記記録位置に向けて搬送される際に、前記第２のサイズの被記録材の前記第１の規制部材が設けられている側とは異なる側の第２の側面部の位置を規制し、
前記２つのセンサのうち、前記第１の規制部材に近い側に配置されたセンサは、
前記第１のサイズの被記録材が、その後端側の第１の側面部の位置を前記第１の規制部材により規制され、かつ、その先端側の第２の側面部の位置を前記搬送経路により規制された斜行状態において、前記１対のローラに挟持された場合でも、該第１のサイズの被記録材の先端部を検知でき、かつ、前記第２のサイズの被記録材が、その先端側の第２の側面部の位置を前記第２の規制部材により規制され、かつ、その後端側の第１の側面部が前記搬送経路により規制された斜行状態において、前記１対のローラに挟持された場合でも、該第２のサイズの被記録材の先端部を検知できるように配置されており、
前記２つのセンサのうち、前記第１の規制部材に遠い側に配置されたセンサは、
前記第１のサイズの被記録材が、その後端側の第２の側面部の位置を前記搬送経路により規制され、かつ、その先端側の第１の側面部の位置を前記第１の規制部材により規制された斜行状態において、前記１対のローラに挟持された場合でも、該第１のサイズの被記録材の先端部を検知できるように配置され、前記第２のサイズの被記録材が、その先端側の第１の側面部の位置を前記搬送経路により規制され、かつ、その後端側の第２の側面部の位置を前記第２の規制部材により規制された斜行状態において、前記１対のローラに挟持された場合でも、該第２のサイズの被記録材の先端部を検知できるように配置されていることを特徴とする。
【発明の効果】
【００３１】
本発明によれば、画像形成装置において、検知センサの数を増やすことなく、また検知センサを移動させる機構を追加することなく、複数サイズの被記録材の大きな斜行を的確に検知することが可能となる。
【発明を実施するための最良の形態】
【００３２】
以下、図面を参照しながら各実施形態の詳細について説明する。なお、以下の各実施形態において説明する画像形成装置は、被記録材として、Ｌ版サイズの印画用紙と、カードサイズの印画用紙と、ハガキサイズの印画用紙とを使用可能であるものとする。
【００３３】
［第１の実施形態］
１．画像形成装置の構成
本実施形態にかかる画像形成装置の構成について説明する。本実施形態にかかる画像形成装置は、Ｌ版サイズ及びカードサイズの印画用紙を被記録材として使用する場合と、ハガキサイズの印画用紙を被記録材として使用する場合とで、異なる構成で処理が行われる。そこで、以下では、それぞれの構成についてわけて説明する。
【００３４】
（１）Ｌ版サイズ及びカードサイズの印画用紙を被記録材として使用する場合の構成
図１は、Ｌ版サイズ及びカードサイズの印画用紙を被記録材として搬送する場合の構成を示す図である。
【００３５】
図１において、１０１は印画ヘッドであるサーマルヘッドである。１０４ａはキャプスタンローラであるギザローラ、１０４ｂはピンチローラであり、これらは１対のローラセットをなしている。
【００３６】
また、１０５ａ、１０５ｂは印画用紙の前面部を検出するための検知センサである。１０６ａは、印画ヘッドが画像を記録する記録位置に向けて搬送経路（点線で囲まれた範囲）上を搬送される印画用紙の斜行を矯正するための基準板（規制部材）である。基準板１０６ａは、Ｌ版サイズ及びカードサイズの印画用紙を搬送する際の、搬送方向左側の側面部の位置を規制する基準面を提供する。基準面は、搬送経路の右端から距離Ｗａの位置に配置される。
【００３７】
印画用紙の搬送経路内には、基準板１０６ａと、サーマルヘッド１０１と、ギザローラ１０４ａと、ピンチローラ１０４ｂと、検知センサ１０５ａ、１０５ｂとが、印画用紙の搬送方向（矢印Ｘ）の上流側から下流側に向かって順に配置されている。なお、ギザローラ１０４ａ及びピンチローラ１０４ｂは、基準板１０６ａの搬送方向下流側端面から距離Ｋの位置に配置されている。
【００３８】
２個の検知センサ１０５ａ、１０５ｂは、印画ヘッド１０１と略平行に配列されており、且つギザローラ１０４ａに近接した位置に配列されている。なお、検知センサ１０５ａ、１０５ｂの配置の詳細については後述する。
【００３９】
（２）ハガキサイズの印画用紙を被記録材として使用する場合の構成
図２は、ハガキサイズの印画用紙を被記録材として搬送する場合の構成を示す図である。なお、図１と共通する部分については、同一の参照番号を付すこととし、説明は省略する。
【００４０】
図１と図２との構成上の相違点は、基準板１０６ｂにある。図２に示すように、基準板１０６ｂは、ハガキサイズの印画用紙を搬送する際の、搬送方向右側の側面部の位置を規制する基準面を提供する。基準面は、搬送経路の左端から距離Ｗｂの位置に配置される。
【００４１】
なお、ハガキサイズの印画用紙を被記録材として搬送する際、基準板１０６ａは、搬送経路から退避した状態にあるものとする。反対に、Ｌ版サイズ及びカードサイズの印画用紙を被記録材として搬送する場合、基準板１０６ｂは、搬送経路から退避した状態にあるものとする。
【００４２】
２．印画用紙搬送時の状態（正常搬送時）
次に、本実施形態にかかる画像形成装置が、それぞれの印画用紙を搬送する場合の正常搬送時の状態（位置関係）について説明する。
【００４３】
（１）Ｌ版サイズの印画用紙を正常搬送する場合の状態
図３は、Ｌ版サイズの印画用紙Ｐｌを正常搬送する場合の状態を示す図であり、ギザローラ１０４ａとピンチローラ１０４ｂとにより正常搬送されたＬ版サイズの印画用紙Ｐｌの前面部が、検知センサ１０５ａ、１０５ｂにより検知された様子を示している。
【００４４】
上述したように、Ｌ版サイズの印画用紙Ｐｌ（用紙幅：Ｐｌｗ、用紙長さ：Ｐｌｈ）は、搬送に際して、基準板１０６ａにより、搬送方向左側の側面部の位置が規制される。このため、検知センサ１０５ａがＬ版サイズの印画用紙Ｐｌの前面部を検知するためには、検知センサ１０５ａは、基準面からの距離Ａが、０≦Ａ＜Ｃとなる位置に配置されることが望ましい。
【００４５】
また、検知センサ１０５ｂがＬ版サイズの印画用紙Ｐｌの前面部を検知するためには、検知センサ１０５ｂは、基準面からの距離Ｂが、Ｃ≦Ｂ≦Ｐｌｗとなる位置に配置されることが望ましい。
【００４６】
ただし、距離Ｃは、基準板１０６ａにより提供される基準面から、Ｌ版サイズの印画用紙Ｐｌの中心までの距離（Ｐｌｗ／２）である。
【００４７】
（２）カードサイズの印画用紙を正常搬送する場合の状態
図４は、カードサイズの印画用紙Ｐｃを正常搬送する場合の状態を示す図であり、ギザローラ１０４ａとピンチローラ１０４ｂとにより正常搬送されたカードサイズの印画用紙Ｐｃの前面部が、検知センサ１０５ａ、１０５ｂにより検知された様子を示している。
【００４８】
上述したように、カードサイズの印画用紙Ｐｃ（用紙幅：Ｐｃｗ、用紙長さ：Ｐｃｈ）は、搬送に際して、基準板１０６ａにより、搬送方向左側の側面部の位置が規制される。このため、検知センサ１０５ａがカードサイズの印画用紙Ｐｃの前面部を検知するためには、検知センサ１０５ａは、基準面からの距離Ａが、０≦Ａ＜Ｃとなる位置に配置されることが望ましい。
【００４９】
また、検知センサ１０５ｂがカードサイズの印画用紙Ｐｃの前面部を検知するためには、検知センサ１０５ｂは、基準面からの距離Ｂが、Ｃ≦Ｂ≦Ｐｃｗとなる位置に配置されることが望ましい。
【００５０】
ただし、距離Ｃは、基準板１０６ａにより提供される基準面から、カードサイズの印画用紙Ｐｃの中心までの距離（Ｐｃｗ／２）である。
【００５１】
（３）ハガキサイズの印画用紙を正常搬送する場合の状態
図５は、ハガキサイズの印画用紙Ｐｐを正常搬送する場合の状態を示す図であり、ギザローラ１０４ａとピンチローラ１０４ｂとにより正常搬送されたハガキサイズの印画用紙Ｐｐの前面部が、検知センサ１０５ａ、１０５ｂにより検知された様子を示している。
【００５２】
上述したように、ハガキサイズの印画用紙Ｐｐ（用紙幅：Ｐｐｗ、用紙長さ：Ｐｐｈ）は、搬送に際して、基準板１０６ｂにより、搬送方向右側の側面部の位置が規制される。このため、検知センサ１０５ｂがハガキサイズの印画用紙Ｐｐの前面部を検知するためには、検知センサ１０５ｂは、基準面からの距離Ａが、０≦Ａ＜Ｃとなる位置に配置されることが望ましい。
【００５３】
また、検知センサ１０５ａがハガキサイズの印画用紙Ｐｐの前面部を検知するためには、検知センサ１０５ａは、基準面からの距離Ｂが、Ｃ≦Ｂ≦Ｐｐｗとなる位置に配置されることが望ましい。
【００５４】
ただし、距離Ｃは、基準板１０６ｂにより提供される基準面から、ハガキサイズの印画用紙Ｐｐの中心までの距離（Ｐｐｗ／２）である。
【００５５】
３．印画用紙搬送時の状態（斜行時）
次に、本実施形態にかかる画像形成装置において、それぞれの印画用紙が斜行搬送した場合の状態（位置関係）について説明する。
【００５６】
（１）Ｌ版サイズの印画用紙が斜行搬送する場合の状態
図６、図７は、Ｌ版サイズの印画用紙Ｐｌが斜行搬送する場合の斜行状態を示す図である。
【００５７】
上述したように、本来、印画用紙の搬送経路に送り込まれたＬ版サイズの印画用紙Ｐｌは、基準板１０６ａが提供する基準面により規制され、サーマルヘッド１０１の主走査方向と直交する方向（搬送方向）に搬送される。
【００５８】
しかしながら、印画用紙の搬送経路内の状態や印画用紙Ｐｌの搬送精度のばらつき、ユーザによる印画用紙Ｐｌへの接触などが原因となって、印画用紙Ｐｌが図６もしくは図７のように斜行してしまう場合がある。
【００５９】
この場合、印画用紙Ｐｌの側面部は基準板１０６ａに沿うことなく、斜行状態のまま図６（ａ）もしくは図７（ａ）のように、ギザローラ１０４ａとピンチローラ１０４ｂによって挟持されることとなる。
【００６０】
図６は、Ｌ版サイズの印画用紙Ｐｌが、搬送方向に対して右側に斜行した様子を示している。図６に示すように、搬送方向に対して右側に斜行した場合、Ｌ版サイズの印画用紙Ｐｌの前面部端部（右端）は、搬送経路（点線）によって規制されることとなる。また、Ｌ版サイズの印画用紙Ｐｌの後面部端部（左端）は、基準板１０６ａによって規制されることとなる。この結果、当該印画用紙Ｐｌは、最大でθ度傾くこととなる。（（ａ）参照）。
【００６１】
Ｌ版サイズの印画用紙Ｐｌがθ度傾いた状態で搬送されると、当該印画用紙Ｐｌの前面部端部（左端）から、順次、ギザローラ１０４ａとピンチローラ１０４ｂとにより挟持されていくこととなる。ギザローラ１０４ａとピンチローラ１０４ｂとにより挟持されると、Ｌ版サイズの印画用紙Ｐｌは、その状態のまま（つまりθ度傾いた状態のまま）、搬送方向に直進することとなる（（ｂ）参照）。
【００６２】
この結果、Ｌ版サイズの印画用紙Ｐｌの前面部端部（左端）は、基準板１０６ａにより提供される基準面から、Ｅ＝Ｐｌｈ×ｓｉｎθの距離を通過することとなる（（ｃ）参照）。
【００６３】
ここで、θに関しては、以下の関係（（ｉ）から（ｖｉ））が成り立つ。
【００６４】
【数１】
0005142647.tif 000002
【００６５】
したがって、Ｅは以下のように表わすことができる。
【００６６】
【数２】
0005142647.tif 000003
【００６７】
一方、図７は、Ｌ版サイズの印画用紙Ｐｌが、搬送方向（Ｘ）に対して左側に斜行した様子を示している。図７に示すように、搬送方向（Ｘ）に対して左側に斜行した場合、基準板１０６ａの搬送方向下流側端部は、印画用紙Ｐｌの側面部を規制する。このため、Ｌ版サイズの印画用紙Ｐｌの前面部端部（左端）は、基準板１０６ａにより提供される基準面よりも更に左側に位置することとなる。また、Ｌ版サイズの印画用紙Ｐｌの後面部端部（右端）は、搬送経路によって規制されることとなる。このため、Ｌ版サイズの印画用紙Ｐｌが搬送方向に対して左側に斜行した場合、当該印画用紙Ｐｌは、最大でθ度傾くこととなる（（ａ）参照）。
【００６８】
ここで、Ｌ版サイズの印画用紙Ｐｌの前面部端部（左端）は、更に、左側に斜行する（θが大きくなる方向に斜行する）ことも可能である。しかし、図７（ａ）の状態で、Ｌ版サイズの印画用紙Ｐｌの前面部端部（右端）が、ギザローラ１０４ａとピンチローラ１０４ｂとにより挟持されると、Ｌ版サイズの印画用紙Ｐｌは、これ以上、左側に斜行することができなくなる。このため、その状態のまま（つまりθ度傾いた状態のまま）搬送方向に直進することとなる（（ｂ）参照）。
【００６９】
この結果、Ｌ版サイズの印画用紙Ｐｌの前面部端部（右端）は、基準板１０６ａにより提供される基準面から、Ｆ＝Ｗ−Ｐｌｈ×ｓｉｎθの距離を通過することとなる（（ｃ）参照）。
【００７０】
ここで、θに関しては、以下の関係（（ｉ）〜（ｉｉｉ））が成り立つ。
【００７１】
【数３】
0005142647.tif 000004
【００７２】
したがって、上式において、Ｐｌｈ×ｓｉｎθは、下記の方程式を満たす解となる。
【００７３】
【数４】
0005142647.tif 000005
【００７４】
（２）カードサイズの印画用紙を搬送する場合の状態
図８、９は、カードサイズの印画用紙Ｐｃが斜行搬送する場合の斜行状態を示す図である。
【００７５】
上述したように、本来、印画用紙の搬送経路に送り込まれたカードサイズの印画用紙Ｐｃは、基準板１０６ａが提供する基準面により規制され、サーマルヘッド１０１の主走査方向と直交する方向（搬送方向）に搬送される。
【００７６】
しかしながら、印画用紙の搬送経路内の状態や印画用紙Ｐｃの搬送精度のばらつき、ユーザによる印画用紙Ｐｃへの接触などが原因となって、印画用紙Ｐｃが図８もしくは図９のように斜行してしまう場合がある。
【００７７】
この場合、印画用紙Ｐｃは側面部は基準板１０６ａに沿うことなく、斜行状態のまま図８（ａ）もしくは図９（ａ）のように、ギザローラ１０４ａとピンチローラ１０４ｂによって挟持されることとなる。
【００７８】
図８は、カードサイズの印画用紙Ｐｃが、搬送方向に対して右側に斜行した様子を示している。図８に示すように、搬送方向に対して右側に斜行した場合、カードサイズの印画用紙Ｐｃの前面部端部（右端）は、搬送経路（点線）によって規制されることとなる。
【００７９】
また、カードサイズの印画用紙Ｐｃの後面部端部（左端）は、基準板１０６ａによって規制されることとなる。この結果、当該印画用紙Ｐｃは、最大でθ度傾くこととなる。（（ａ）参照）。
【００８０】
カードサイズの印画用紙Ｐｃがθ度傾いた状態で搬送されると、当該印画用紙Ｐｃの前面部端部（左端）から、順次、ギザローラ１０４ａとピンチローラ１０４ｂとにより挟持されていくこととなる。ギザローラ１０４ａとピンチローラ１０４ｂとに挟持されると、カードサイズの印画用紙Ｐｃは、その状態のまま（つまりθ度傾いた状態のまま）、搬送方向に直進することとなる（（ｂ）参照）。
【００８１】
この結果、カードサイズの印画用紙Ｐｃの前面部端部（左端）は、基準板１０６ａにより提供される基準面から、Ｅ＝Ｐｃｈ×ｓｉｎθの距離を通過することとなる（（ｃ）参照）。
【００８２】
ここで、θに関しては、以下の関係式（（ｉ）〜（ｖｉ））が成り立つ。
【００８３】
【数５】
0005142647.tif 000006
【００８４】
したがって、Ｅは以下のように表わすことができる。
【００８５】
【数６】
0005142647.tif 000007
【００８６】
一方、図９は、カードサイズの印画用紙Ｐｃが、搬送方向（Ｘ）に対して左側に斜行した様子を示している。図９に示すように、搬送方向（Ｘ）に対して左側に斜行した場合、基準板１０６ａの搬送方向下流側端部は、印画用紙Ｐｃの側面部を規制する。このため、カードサイズの印画用紙Ｐｃの前面部端部（左端）は、基準板１０６ａにより提供される基準面よりも更に左側に位置することとなる。また、カードサイズの印画用紙Ｐｃの後面部端部（右端）は、搬送経路によって規制されることとなる。このため、カードサイズの印画用紙Ｐｃが搬送方向に対して左側に斜行した場合、当該印画用紙Ｐｃは、最大でθ度傾くこととなる（（ａ）参照）。
【００８７】
ここで、カードサイズの印画用紙Ｐｃの前面部端部（左端）は、更に、左側に斜行する（θが大きくなる方向に斜行する）ことも可能である。しかし、図９（ａ）の状態で、カードサイズの印画用紙Ｐｃの前面部端部（右端）が、ギザローラ１０４ａとピンチローラ１０４ｂとにより挟持されると、カードサイズの印画用紙Ｐｃは、これ以上、左側に斜行することができなくなる。このため、その状態のまま（つまりθ度傾いた状態のまま）搬送方向に直進することとなる（（ｂ）参照）。
【００８８】
この結果、カードサイズの印画用紙Ｐｃの前面部端部（右端）は、基準板１０６ａにより提供される基準面から、Ｆ＝Ｗ−Ｐｃｈ×ｓｉｎθの距離を通過することとなる（（ｃ）参照）。
【００８９】
ここで、θに関しては、以下の関係（（ｉ）〜（ｉｉｉ））が成り立つ。
【００９０】
【数７】
0005142647.tif 000008
【００９１】
したがって、上式において、Ｐｃｈ×ｓｉｎθは、下記の方程式を満たす解となる。
【００９２】
【数８】
0005142647.tif 000009
【００９３】
（３）ハガキサイズの印画用紙を搬送する場合の状態
図１０、図１１は、ハガキサイズの印画用紙Ｐｐが斜行搬送する場合の斜行状態を示す図である。
【００９４】
上述したように、本来、印画用紙の搬送経路に送り込まれたハガキサイズの印画用紙Ｐｐは、基準板１０６ｂが提供する基準面により規制され、サーマルヘッド１０１の主走査方向と直交する方向（搬送方向）に搬送される。
【００９５】
しかしながら、印画用紙の搬送経路内の状態や印画用紙Ｐｐの搬送精度のばらつき、ユーザによる印画用紙Ｐｐへの接触などが原因となって、印画用紙Ｐｐが図１０もしくは図１１のように傾斜してしまう場合がある。
【００９６】
この場合、印画用紙Ｐｐの側面部は基準板１０６ｂに沿うことなく、斜行状態のまま図１０（ａ）もしくは図１１（ａ）のように、ギザローラ１０４ａとピンチローラ１０４ｂによって挟持されることとなる。
【００９７】
図１０は、ハガキサイズの印画用紙Ｐｐが、搬送方向に対して右側に斜行した様子を示している。図１０に示すように、搬送方向に対して右側に斜行した場合、基準板１０６ｂの搬送方向下流側端部は、印画用紙Ｐｐの側面部を規制する。このため、ハガキサイズの印画用紙Ｐｐの前面部端部（右端）は、基準板１０６ｂにより提供される基準面よりも更に右側に位置することとなる。また、ハガキサイズの印画用紙Ｐｐの後面部端部（左端）は、搬送経路によって規制されることとなる。この結果、当該印画用紙Ｐｐは、最大でθ度傾くこととなる。（（ａ）参照）。
【００９８】
ここで、カードサイズの印画用紙Ｐｐの前面部端部（右端）は、更に、右側に斜行することも可能である。しかし、図１０（ａ）の状態で、カードサイズの印画用紙Ｐｐの前面部端部（左端）が、ギザローラ１０４ａとピンチローラ１０４ｂとにより挟持されると、カードサイズの印画用紙Ｐｐは、これ以上、右側に斜行することができなくなる。このため、その状態のまま（つまりθ度傾いた状態のまま）搬送方向に直進することとなる（（ｂ）参照）。
【００９９】
この結果、ハガキサイズの印画用紙Ｐｐの前面部端部（左端）は、基準板１０６ｂにより提供される基準面から、Ｆ＝Ｗ−Ｐｐｈ×ｓｉｎθの距離を通過することとなる（（ｃ）参照）。
【０１００】
ここで、θに関しては、以下の関係式（（ｉ）〜（ｉｉｉ））が成り立つ。
【０１０１】
【数９】
0005142647.tif 000010
【０１０２】
したがって、上式において、Ｐｐｈ×ｓｉｎθは、下記の方程式を満たす解となる。
【０１０３】
【数１０】
0005142647.tif 000011
【０１０４】
一方、図１１は、ハガキサイズの印画用紙Ｐｐが、搬送方向に対して左側に斜行した様子を示している。図１１に示すように、搬送方向に対して左側に斜行した場合、ハガキサイズの印画用紙Ｐｐの前面部端部（左端）は、搬送経路（点線）によって規制されることとなる。また、ハガキサイズの印画用紙Ｐｐの後面部端部（右端）は、基準板１０６ｂによって規制されることとなる。この結果、当該印画用紙Ｐｐは、最大でθ度傾くこととなる（（ａ）参照）。
【０１０５】
ハガキサイズの印画用紙Ｐｐがθ度傾いた状態で搬送されると、当該印画用紙Ｐｐの前面部右側から、順次、ギザローラ１０４ａとピンチローラ１０４ｂとにより挟持されていくこととなる。ギザローラ１０４ａとピンチローラ１０４ｂとに挟持されると、カードサイズの印画用紙Ｐｐは、その状態のまま（つまりθ度傾いた状態のまま）、搬送方向に直進することとなる（（ｂ）参照）。
【０１０６】
この結果、ハガキサイズの印画用紙Ｐｐの前面部端部（右端）は、基準板１０６ｂにより提供される基準面から、Ｅ＝Ｐｐｈ×ｓｉｎθの距離を通過することとなる（（ｃ）参照）。
【０１０７】
ここで、θに関しては、以下の関係（（ｉ）〜（ｖｉ））が成り立つ。
【０１０８】
【数１１】
0005142647.tif 000012
【０１０９】
したがって、Ｅは以下のように表わすことができる。
【０１１０】
【数１２】
0005142647.tif 000013
【０１１１】
４．センサ配置の検討
上述したように、ギザローラ１０４ａとピンチローラ１０４ｂとは一定以上の圧力で押圧されており、また、ギザローラ１０４ａのグリップ部には、印画用紙の裏面に印画用紙がずれないだけの深さまで刺さる突起が設けてある。そのため、ギザローラ１０４ａとピンチローラ１０４ｂとが印画用紙を一度挟持しグリップすると、その搬送力はゴムローラなどと比べて極めて強い力となる。
【０１１２】
したがって、印画用紙が、斜行状態で搬送経路に送り込まれた場合、そのまま搬送を継続してしまうと、ユーザ自身で復帰させることができないような深刻なジャムが発生する可能性がある。
【０１１３】
これを回避するため、本実施形態では、検知センサを２個配し、印画用紙の前面部を検知するとともに、当該２個の検知センサの検知タイミングのずれをステッピングモータの駆動ステップ数によって測定することで、印画用紙の斜行量を求めることとしている。
【０１１４】
ここで、印画用紙の斜行量を正確に求めるにあたっては、２個の検知センサが幅方向にできるだけ離れて配置されることが重要である。
【０１１５】
一方で、検知センサの距離が離れすぎると、印画用紙が大きく斜行した場合に、印画用紙の前面部を検知せずに、側面部を検知することとなる。この場合、印画用紙の検知タイミングが、前面部を検知する場合と比べて遅くなるため、実際の斜行量よりも大きな斜行量を算出してしまう結果となる。
【０１１６】
このため、２個の検知センサは、印画用紙が最も斜行した状態においても印画用紙の前面部を検知することができる位置であって、かつ、互いの距離が最も離れた位置であることが望ましい。
【０１１７】
以上のことをふまえ、本実施形態にかかる画像形成装置では、Ｌ版サイズの印画用紙Ｐｌ及びカードサイズの印画用紙Ｐｃに対して、検知センサ１０５ａ、１０５ｂを、以下の関係を具備するように配置している。
（１）検知センサ１０５ａ
距離Ｅ≦基準面から検知センサ１０５ａまでの距離Ａ
（２）検知センサ１０５ｂ
距離Ｆ≧基準面から検知センサ１０５ｂまでの距離Ｂ
（１）及び（２）の関係が成り立てば、ジャムが発生する寸前まで印画用紙が斜行状態であったとしても、その前面部を遅れることなく検知することが可能となる。
【０１１８】
なお、上記（１）、（２）において、距離Ｅ及び距離Ｆは、Ｌ版サイズの印画用紙Ｐｌの斜行量に基づいて算出される値のみを採用するものとする。これは、カードサイズの印画用紙Ｐｃの場合、斜行時の角度（θ）が比較的大きくても、印画用紙の前面部端部が振られる量は小さく、ジャムの発生に至らないことが多いためである。
【０１１９】
つまり、ジャムの発生を防ぐという観点からすると、検知センサ１０５ａ、１０５ｂをカードサイズの印画用紙Ｐｃの斜行量に基づいて算出された距離Ｅ及び距離Ｆを基準として配置したとしても得られる効果は少ないからである。
【０１２０】
このため、本実施形態における画像形成装置では、カードサイズの印画用紙Ｐｃについては、その搬送状態が異常であることを判定しないように構成されているものとする。
【０１２１】
なお、印画用紙が、図４もしくは図５で示される斜行量以上に斜行していた場合については、そもそもギザローラ１０４ａとピンチローラ１０４ｂとが印画用紙を挟持する以前に既にジャムが発生しているはずである。このため、本実施形態では、このようなケースについては、検知センサによる斜行検知の対象外としている。
【０１２２】
一方、ハガキサイズの印画用紙Ｐｐに対しては、検知センサ１０５ａ、１０５ｂを、基準面に対して、以下の関係を具備するように配置している。
（１）検知センサ１０５ａ
距離Ｆ≧基準面から検知センサ１０５ａまでの距離Ａ
（２）検知センサ１０５ｂ
距離Ｅ≦基準面から検知センサ１０５ｂまでの距離Ｂ
（１）及び（２）の関係が成り立てば、ジャムが発生する寸前まで印画用紙が斜行した状態であったとしても、その前面部を遅れることなく検知することが可能となる。
【０１２３】
以上の説明から明らかなように、本実施形態にかかる画像形成装置では、印画用紙の斜行を検知するための検知センサを配置するにあたり、印画用紙が最も斜行した状態であっても、印画用紙の前面部が検知できるように配置する構成とした。
【０１２４】
なお、印画用紙が最も斜行した状態については、本実施形態における画像形成装置が処理対象とする印画用紙のサイズと、サイズによって異なる基準板の位置とを踏まえて検討を行った。
【０１２５】
この結果、検知センサの数を増やすことなく、また検知センサを移動させる機構を追加することなく、複数サイズの印画用紙の斜行を正確に検知することが可能となった。
【０１２６】
［第２の実施形態］
上記第１の実施形態では、複数サイズの印画用紙の斜行を的確に検知すべく、２つの検知センサの配置について検討した。これに対して、本実施形態では、印画用紙の斜行を検知し、検知結果に基づいて斜行量を算出した場合の画像形成装置の処理について説明する。
【０１２７】
一般的に、熱転写式の画像形成装置においては、品位の高い画像の記録を実現するために、より正確な記録開始位置の算出が要求される。このため画像形成装置では、ギザローラ１０４ａとピンチローラ１０４ｂとが印画用紙Ｐを挟持した後に、検知センサ１０５ａ、１０５ｂで印画用紙の前面部を検知するように配置されている。ローラの滑りや変形によるずれが発生しにくいギザローラ１０４ａは、印画用紙を精度よく搬送することができるため、このような配置にすることで品位の高い画像の記録が可能となるからである。
【０１２８】
ただし、このような配置の場合、サーマルヘッド１０１に設けられた発熱素子から印画用紙の前面部までの間に、印画できない白紙の領域が発生することとなる。このような白紙の領域は、ユーザがフチなし画像を望むような場合や、印画用紙の副走査方向の長さを最大限有効に活用する場合には、可能な限り縮小されることが望ましい。
【０１２９】
これに対処する技術として、一旦検知センサ１０５ａ、１０５ｂが印画用紙の前面部を検知するまで印画用紙を搬送し、その後白紙の領域を縮小するため、印画用紙を記録開始位置まで一定量逆搬送する制御方法が知られている。そして当該制御方法では、斜行の有無に関わらず、予め設定されたステッピングモータのステップ数だけ逆搬送することとしていた。
【０１３０】
しかしながら、白紙の領域を縮小するために逆搬送量を増やし過ぎると、印画用紙がギザローラ１０４ａから外れ、ジャムが発生するおそれがある。一方、斜行が無い状態において最適化な逆搬送量を用いることとすると、斜行が大きい場合には印画用紙の一方の端部がギザローラ１０４ａから外れてしまうこととなる。
【０１３１】
このように、斜行が無い場合と大きい場合とでは、記録開始位置までの最適な逆搬送量は異なっている。このため、印画用紙の斜行に対応して白紙の領域を最小限に縮小する制御手段が望まれている。
【０１３２】
そこで、以下では、印画用紙の斜行量を算出した場合の画像形成装置の処理として、記録開始位置までの逆搬送量を、印画用紙の斜行量に応じて算出する方法について説明する。
【０１３３】
図１２及び図１３は、本実施形態にかかる画像形成装置の概略構成を示す模式図である。
【０１３４】
図１２及び図１３において、Ａは基準面から基準板１０６ａ側の検知センサ１０５ａまでの距離を、Ｂは基準面から基準板１０６ａと反対側の検知センサ１０５ｂまでの距離をそれぞれ表わしている。
【０１３５】
また、Ｓは斜行が無い場合に最適化された逆搬送量を表わしている。更に、Ｓａは検知タイミングのずれから算出された斜行量（基準板１０６ａ側から離れる方向の斜行の場合）を、Ｓｂは検知タイミングのずれから算出された斜行量（基準板１０６ａ側に回り込む方向の斜行の場合）を表わしている。
【０１３６】
更に、Ｔａは印画用紙がギザローラから外れないための逆搬送量（基準板１０６ａ側から離れる方向の斜行の場合）を、Ｔｂは印画用紙がギザローラから外れないための逆搬送量（基準板１０６ａ側に回り込む方向の斜行の場合）をそれぞれ表わしている。
【０１３７】
更に、Ｕａはギザローラ１０４ａのグリップ部の基準板１０６ａ側の端部を、Ｕｂはギザローラ１０４ａのグリップ部の基準板１０６ａと反対側の端部をそれぞれ示している。
【０１３８】
本実施形態にかかる画像形成装置では、印画用紙の検知位置から記録開始位置までの逆搬送量として、斜行量及び斜行の方向に対応した逆搬送量を選択的に用いる。
【０１３９】
具体的には、印画用紙が基準板１０６ａ側から離れる方向で斜行した場合、検知した斜行量から印画用紙がギザローラ１０４ａから外れないための理想的な逆搬送量Ｔａを計算し、Ｔａに基づいて換算したステップ数を用いて、逆搬送を行う。
【０１４０】
なお、このときの逆搬送量Ｔａは、下記の計算式で求められる。
Ｔａ＝Ｓ−｛（Ｕｂ−Ｂ）／（Ｂ−Ａ）｝×Ｓａ
一方、印画用紙が基準板１０６ａ側に回り込む方向で斜行した場合、検知した斜行量から印画用紙がギザローラ１０４ａから外れないための理想的な逆搬送量Ｔｂを計算し、Ｔｂに基づいて換算したステップ数を用いて、逆搬送を行う。
【０１４１】
このときの逆搬送量Ｔｂは、下記の計算式で求められる。
Ｔｂ＝Ｓ−｛（Ｕａ＋Ａ）／（Ｂ−Ａ）｝×Ｓｂ
なお、サイズの異なる印画用紙については、上述の計算式にそれぞれのサイズの印画用紙固有の係数を乗じたものを用いることとする。
【０１４２】
以上の説明から明らかなように、本実施形態にかかる画像形成装置では、記録開始位置までの逆搬送量を、印画用紙の斜行量に応じて算出する構成とした。この結果、斜行の有無に関わらず、高品位な画像を実現できるとともに、白紙の領域を最小化させることが可能となった。
【０１４３】
［他の実施形態］
なお、本発明は、複数の機器（例えばホストコンピュータ、インタフェース機器、リーダ、プリンタなど）から構成されるシステムに適用しても、一つの機器からなる装置（例えば、複写機、ファクシミリ装置など）に適用してもよい。
【０１４４】
また、本発明の目的は、前述した実施形態の機能を実現するソフトウェアのプログラムコードを記録した記録媒体を、システムあるいは装置に供給するよう構成することによっても達成されることはいうまでもない。この場合、そのシステムあるいは装置のコンピュータ（またはＣＰＵやＭＰＵ）が記録媒体に格納されたプログラムコードを読出し実行することにより、上記機能が実現されることとなる。なお、この場合、そのプログラムコードを記録した記録媒体は本発明を構成することになる。
【０１４５】
プログラムコードを供給するための記録媒体としては、例えば、フロッピ（登録商標）ディスク、ハードディスク、光ディスク、光磁気ディスク、ＣＤ−ＲＯＭ、ＣＤ−Ｒ、磁気テープ、不揮発性のメモリカード、ＲＯＭなどを用いることができる。
【０１４６】
また、コンピュータが読出したプログラムコードを実行することにより、前述した実施形態の機能が実現される場合に限られない。例えば、そのプログラムコードの指示に基づき、コンピュータ上で稼働しているＯＳ（オペレーティングシステム）などが実際の処理の一部または全部を行い、その処理によって前述した実施形態の機能が実現される場合も含まれることは言うまでもない。
【０１４７】
さらに、記録媒体から読出されたプログラムコードが、コンピュータに挿入された機能拡張ボードやコンピュータに接続された機能拡張ユニットに備わるメモリに書込まれた後、前述した実施形態の機能が実現される場合も含まれる。つまり、プログラムコードがメモリに書込まれた後、そのプログラムコードの指示に基づき、その機能拡張ボードや機能拡張ユニットに備わるＣＰＵなどが実際の処理の一部または全部を行い、その処理によって実現される場合も含まれる。
【図面の簡単な説明】
【０１４８】
【図１】本発明の第１の実施形態にかかる画像形成装置の構成図であり、Ｌ版サイズ及びカードサイズの印画用紙を被記録材として搬送する場合の構成図である。
【図２】本発明の第１の実施形態にかかる画像形成装置の構成図であり、ハガキサイズの印画用紙を被記録材として搬送する場合の構成図である。
【図３】Ｌ版サイズの印画用紙を正常搬送する場合の状態を示す図である。。
【図４】カードサイズの印画用紙を正常搬送する場合の状態を示す図である。
【図５】ハガキサイズの印画用紙を正常搬送する場合の状態を示す図である。
【図６】Ｌ版サイズの印画用紙を斜行搬送する場合の状態を示す図である。
【図７】Ｌ版サイズの印画用紙を斜行搬送する場合の状態を示す図である。
【図８】カードサイズの印画用紙を斜行搬送する場合の状態を示す図である。
【図９】カードサイズの印画用紙を斜行搬送する場合の状態を示す図である。
【図１０】ハガキサイズの印画用紙を斜行搬送する場合の状態を示す図である。
【図１１】ハガキサイズの印画用紙を斜行搬送する場合の状態を示す図である。
【図１２】記録開始位置までの逆搬送量を、印画用紙の斜行量に応じて算出する方法を説明するための図である。
【図１３】記録開始位置までの逆搬送量を、印画用紙の斜行量に応じて算出する方法を説明するための図である。
【図１４】従来の熱転写式の画像形成装置における記録動作を説明するための図である。
【図１５】従来の熱転写式の画像形成装置において、被記録材が斜行した様子を示す図である。
【符号の説明】
【０１４９】
１０１        サーマルヘッド
１０４ａ      ギザローラ
１０４ｂ      ピンチローラ
１０５ａ、ｂ  検知センサ
１０６ａ、ｂ  基準板
Ｐｌ          Ｌ版サイズの印画用紙
Ｐｐ          ハガキサイズの印画用紙
Ｐｃ          カードサイズの印画用紙
【図１】
0005142647.tif 000014
【図２】
0005142647.tif 000015
【図３】
0005142647.tif 000016
【図４】
0005142647.tif 000017
【図５】
0005142647.tif 000018
【図６】
0005142647.tif 000019
【図７】
0005142647.tif 000020
【図８】
0005142647.tif 000021
【図９】
0005142647.tif 000022
【図１０】
0005142647.tif 000023
【図１１】
0005142647.tif 000024
【図１２】
0005142647.tif 000025
【図１３】
0005142647.tif 000026
【図１４】
0005142647.tif 000027
【図１５】
0005142647.tif 000028